(57)【要約】【課題】解像度を手動設定可能にし、且つ表示器において再生画像が適正に表示されるよう構成した光ディスク装置を提供する。【解決手段】制御部４は、モニタ１０１からそのモニタ１０１のＥＤＩＤを、ＨＤＭＩケーブル２１を介して取得する。制御部４は、モニタ１０１が対応している複数の解像度をＥＤＩＤから調べる。いずれかの解像度キー５２〜５４が押下されて所望の解像度が入力されると、制御部４は、入力された解像度が複数の解像度に含まれているかどうかを判定する。入力された解像度が複数の解像度に含まれていると判定すると、制御部４は、入力された解像度を画像処理部１３に指定する。例えば、解像度キー５３が押下された場合、制御部４は、解像度７２０ｐを画像処理部１３に指定する。即ち、モニタ１０１が解像度７２０ｐと解像度１０８０ｐの両方に対応している場合に、ユーザは、解像度７２０ｐを選択することができる。【選択図】  図２
2008141637.tif 000002
【特許請求の範囲】
【請求項１】
装置本体にセットされている光ディスクにピックアップヘッドからレーザ光を照射し、その光ディスクから画像信号を読取る読取手段と、
前記読取手段で読取られた画像信号を、指定された解像度に変換して出力する画像変換手段と、を備え、前記画像変換手段から出力された画像信号を処理して画像を表示する表示器に双方向型のインタフェースを介して接続される光ディスク装置において、
前記画像変換手段に指定された解像度を表示する表示手段と、
解像度の入力を受け付ける複数のキーが設けられた操作手段と、
前記表示器が対応している複数の解像度を前記表示器から取得する制御手段と、を備え、
前記制御手段は、
前記操作手段におけるキー操作によって解像度が入力されると、該入力された解像度が前記複数の解像度に含まれているかどうかを判定し、
（１）前記入力された解像度が前記複数の解像度に含まれていると判定すると、前記入力された解像度を前記画像変換手段に指定し、
（２）前記入力された解像度が前記複数の解像度に含まれていないと判定すると、前記複数の解像度の中で最高の解像度を前記画像変換手段に指定する光ディスク装置。
【請求項２】
装置本体にセットされている光ディスクにピックアップヘッドからレーザ光を照射し、その光ディスクから画像信号を読取る読取手段と、
前記読取手段で読取られた画像信号を、指定された解像度に変換して出力する画像変換手段と、を備え、前記画像変換手段から出力された画像信号を処理して画像を表示する表示器に双方向型のインタフェースを介して接続される光ディスク装置において、
解像度の入力を受け付ける複数のキーが設けられた操作手段と、
前記表示器が対応している複数の解像度を前記表示器から取得する制御手段と、を備え、
前記制御手段は、
前記操作手段におけるキー操作によって解像度が入力されると、該入力された解像度が前記複数の解像度に含まれているかどうかを判定し、
前記入力された解像度が前記複数の解像度に含まれている場合のみ、前記入力された解像度を前記画像変換手段に指定する光ディスク装置。
【請求項３】
前記制御手段は、前記入力された解像度が前記複数の解像度に含まれていないと判定すると、前記複数の解像度の中で最高の解像度を前記画像変換手段に指定する請求項２に記載の光ディスク装置。
【請求項４】
前記画像変換手段に指定された解像度を表示する表示手段を備える請求項２又は３に記載の光ディスク装置。
【発明の詳細な説明】
【技術分野】
【０００１】
本発明は、光ディスクから読取った画像信号を、指定された解像度に変換して出力する光ディスク装置に関するものである。
【背景技術】
【０００２】
従来、ＣＤ、ＤＶＤ等の光ディスクに記録されている画像や音声を再生する光ディスク装置が実用化され、一般に普及している。
【０００３】
このような光ディスク装置には、近年、再生画像を表示する表示器が双方向型のインタフェースを介して接続される。双方向型のインタフェースは、例えばHDMI（High  Definition  Multimedia  Interface）である。表示器は、例えばHDMI規格対応のモニタ、HDMI規格対応のテレビジョンである。ユーザは、この表示器において、光ディスク装置から出力された画像信号に基づく画像、及び音声信号に基づく音声を視聴することができる。
【０００４】
このような光ディスク装置において、光ディスクに記録されている画像の解像度と、表示器が対応している解像度と、は必ずしも一致していない。そのため、光ディスク装置は、光ディスクから読取った画像信号をそのまま出力するのではなく、表示器が表示可能な解像度に自動的に変換した上で、表示器に出力している。
特に、HDMI規格では、表示器が対応している複数の解像度を表示器から取得できるため、光ディスク装置は、複数の解像度の中で最高の解像度に自動的に変換して表示器に出力している。
【０００５】
ところが、ユーザが、光ディスク装置や表示器の処理速度等の観点から、複数の解像度の中で最高の解像度に変換することを望まない場合もある。例えば、高解像度の画像信号は、低解像度のものと比べ処理に時間がかかり、その間ユーザは待たされてしまう。
【０００６】
そこで、解像度を手動設定する撮像表示装置が提案されている（特許文献１）。この撮像表示装置は、モニタに接続される。この撮像表示装置は、所望の解像度を入力するための操作部を備え、操作部で入力された解像度に画像信号を変換してモニタに出力する。
【特許文献１】特開２００１−２７４９８５公報
【発明の開示】
【発明が解決しようとする課題】
【０００７】
しかしながら、特許文献１に記載の撮像表示装置とモニタとは、一方向通信タイプのインタフェースで接続されている。そのため、撮像表示装置側では、表示器がどの解像度に対応しているか否かを知ることができない。
よって、特許文献１に記載の撮像表示装置では、表示器が対応していない解像度をユーザが入力してしまった場合、表示器において再生画像が適正に表示されないという問題があった。この場合、その問題の原因が分からず、ユーザが撮像表示装置の販売店にクレームすることも考えられた。
【０００８】
本発明はこのような従来の課題を解決しようとするものであり、解像度を手動設定可能にし、且つ表示器において再生画像が適正に表示されるよう構成した光ディスク装置を提供することを目的とする。
【課題を解決するための手段】
【０００９】
本発明の光ディスク装置は、前記課題を解決するために以下の構成を備えている。
【００１０】
（１）装置本体にセットされている光ディスクにピックアップヘッドからレーザ光を照射し、その光ディスクから画像信号を読取る読取手段と、
前記読取手段で読取られた画像信号を、指定された解像度に変換して出力する画像変換手段と、を備え、前記画像変換手段から出力された画像信号を処理して画像を表示する表示器に双方向型のインタフェースを介して接続される光ディスク装置において、
解像度の入力を受け付ける複数のキーが設けられた操作手段と、
前記表示器が対応している複数の解像度を前記表示器から取得する制御手段と、を備え、
前記制御手段は、
前記操作手段におけるキー操作によって解像度が入力されると、該入力された解像度が前記複数の解像度に含まれているかどうかを判定し、
前記入力された解像度が前記複数の解像度に含まれている場合のみ、前記入力された解像度を前記画像変換手段に指定する。
【００１１】
この構成において、双方向型のインタフェースは、例えばHDMI（High  Definition  Multimedia  Interface）である。表示器は、例えばHDMI規格対応のモニタ、HDMI規格対応のテレビジョンである。
表示器が対応している複数の解像度を取得する場合、制御手段は、例えばその表示器のＥＤＩＤ(Extended Display Identification Data)を、双方向型のインタフェースを介して表示器から取得する。ＥＤＩＤは、表示器の仕様や特性を示す情報である。ＥＤＩＤには、例えば解像度情報、アスペクト比情報が含まれる。解像度情報は、表示器が対応している複数の解像度を示す情報である。
ユーザが所望の解像度を操作手段で入力すると、制御手段は、入力された解像度が複数の解像度に含まれているかどうかを判定する。即ち、制御手段は、その入力した解像度が表示器に対応しているかどうかを判定する。
そして、入力された解像度が表示器に対応している場合のみ、入力された解像度が画像変換手段に指定される。これにより、例えば、表示器が解像度７２０ｐ（progressive）と解像度１０８０ｐの両方に対応している場合に、ユーザは、解像度７２０ｐを選択することができる。
そして、光ディスクの再生が指示された際、画像変換手段は、読取手段で読取られた画像信号を指定された解像度に変換して表示器に出力する。この際、ユーザが入力した解像度に表示器が対応しているかどうかを、再生が実行される前に制御手段が判定しているので、再生画像が表示器において適正に表示される。
以上より、ユーザは解像度を手動設定でき、且つ再生画像を表示器において適正に表示させることができる。
【００１２】
（２）前記制御手段は、前記入力された解像度が前記複数の解像度に含まれていないと判定すると、前記複数の解像度の中で最高の解像度を前記画像変換手段に指定する。
【００１３】
表示器が対応していない解像度をユーザが入力してしまった場合、表示器において再生画像が適正に表示されない。
この構成においては、複数の解像度の中で最高の解像度を画像変換手段に指定している。そして、光ディスクの再生が指示された際、画像変換手段は、読取手段で読取られた画像信号を、その最高の解像度に変換して表示器に出力する。
以上より、ユーザは解像度を手動設定でき、且つ再生画像を表示器において適正に表示させることができる。
【００１４】
（３）前記画像変換手段に指定された解像度を表示する表示手段を備える。
【００１５】
上記（１）および（２）によって、光ディスク装置に解像度が設定される。そして、光ディスクの再生が指示されると、この解像度で画像信号が変換されて表示器に出力される。この時、現在再生されている表示器の解像度は、見た目上、分かりにくい。このため、所望の解像度に設定できているかどうかユーザが不安に思うおそれがある。
この構成においては、設定した解像度を表示手段で表示している。
これにより、現在設定されている解像度をユーザに知らせることができる。従って、ユーザは、所望の解像度に設定できているかどうかを確認することができる。
【発明の効果】
【００１６】
この発明によれば、ユーザは解像度を手動設定でき、且つ再生画像を表示器において適正に表示させることができる。
【発明を実施するための最良の形態】
【００１７】
以下、本発明の実施形態である光ディスク装置について説明する。
【００１８】
図１は、本発明の実施形態である光ディスク装置の主要な構成を示すブロック図である。光ディスク装置１は、所謂ＤＶＤプレーヤであり、装置本体１の各部の動作を制御する制御部４と、自装置にセットされている光ディスク１００からデータを読取るピックアップヘッド２（以下、PUヘッド２と称する。）と、RFアンプなどの再生部３と、ユーザからの操作を受け付ける操作部５と、情報を表示する表示部７と、データを記憶する記憶部６と、音声信号を出力する音声処理部１１と、画像信号を指定の解像度に変換して出力する画像処理部１３と、を備えている。
【００１９】
また、光ディスク装置１は、HDMIポート２０に差し込まれたHDMIケーブル２１を介して、モニタ１０１に接続されている。モニタ１０１は、音声信号をD／A変換し、音声を外部に放音する音声出力部を有する。また、モニタ１０１は、HDMI規格対応のモニタである。
ＨＤＭＩは、High  Definition  Multimedia  Interfaceの略であり、ＤＶＤ再生装置等の出力装置からテレビ画像受像機やプロジェクタ表示装置等の表示装置へディジタルＡ／Ｖ信号を伝送するためのインタフェースである。ＨＤＭＩは、従来の規格であるＤＶＩ（Digital  Visual  Interface  for  Computer）Ver1.0を拡張したものである。具体的には、ＤＶＩは画像情報のみを送信する規格であるのに対し、ＨＤＭＩは、画像情報の他、音声情報およびその他の情報も一のケーブルで送信できる規格である。さらに、ＨＤＭＩは、高品質のマルチチャンネル音声と高解像度の各種フォーマットの画像信号（映像信号）の伝送が可能である。
ＨＤＭＩは、DDC（Display  Date  Channel）により、モニタ１０１が光ディスク装置１に送信する情報を伝送することができる。DDCは、通信形式の名称である。
【００２０】
PUヘッド２は、図示しないレーザダイオード（ＬＤ）、コリメータレンズ、ビームスプリッタ、対物レンズ、フォトディテクタ、スレッドモータ、及び２軸のアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、及び光ディスク１００の半径方向に移動させる。
【００２１】
まず、再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２２】
再生部３は、ＰＵヘッド２における複数の受光素子の出力に基づいてＲＦ信号を生成し、該ＲＦ信号を増幅する。そして、再生部３は、該ＲＦ信号を処理して画像と音声のデータを取り出し、それぞれデコードする。ここで、取り出される画像信号は、例えばＭＰＥＧでエンコードされている。また、取り出される音声信号は、例えばＭＰＥＧ、AC３でエンコードされている。そして、再生部３は、音声信号を音声処理部１１に、画像信号を画像処理部１３に、両データの同期を取りながら、それぞれ出力する。
【００２３】
音声処理部１１は、伸長された音声信号をディジタルの再生音声信号として外部のモニタ１０１に出力する。
【００２４】
画像処理部１３は、伸長された画像信号を、制御部４によって指定された解像度に変換する。そして、画像処理部１３は、変換後の信号をディジタルの再生画像信号として外部のモニタ１０１に出力する。
なお、この解像度変換は、例えば、光ディスク１００に記憶された画像が１２８０× １０２４画素（ピクセル）のいわゆるＳＸＧＡの画像であり、モニタ１０１が６４０×５１２画素の画像を表示可能である場合、水平方向の解像度は丁度１／２なので、補間処理を行なうなどして、水平方向の解像度を落とす。補間処理とは、例えば、水平方向に隣接する二つの画素の画像信号を読み出し、これを平均化して、一つの画素の画像信号として出力する処理である。
【００２５】
音声処理部１１及び画像処理部１３は、上記のディジタル信号を、ＨＤＭＩケーブル２１を介して、ＴＭＤＳ（Transition  Minimized  Differential  Signaling）方式でモニタ１０１に送信する。
【００２６】
音声処理部１１及び画像処理部１３は、HDMIポート２０に差し込まれたHDMIケーブル２１を介してモニタ１０１と繋がっている。ユーザは、このモニタ１０１において、画像処理部１３から出力された画像信号に基づく画像、及び音声処理部１１から出力された音声信号に基づく音声を視聴することができる。
【００２７】
図２は、本発明の実施形態である光ディスク装置において操作部５の外観図である。操作部５は、ユーザが光ディスク装置１に対して各種の命令（コマンド）を入力するためのものである。操作部５には、光ディスク１００の再生を実行するための再生キー（不図示）、装置本体１の電源オンと電源オフを切替える電源キー（不図示）、解像度を自動に設定するための解像度自動設定キー５１と、解像度の入力を受付ける解像度キー５２〜５４が設けられている。光ディスク装置１に対してユーザが入力したコマンドは制御部４に伝送される。
【００２８】
図１に戻り、記憶部６は、例えばＥＥＰＲＯＭで構成されている。記憶部６は、装置本体１の主制御プログラムを記憶する。
【００２９】
表示部７は、例えばLCD（Liquid Crystal Display）で構成される。表示部７は、時刻、光ディスク装置１の設定状態などを表示する。
【００３０】
ＨＤＭＩポート２０は、ＨＤＭＩケーブル２１により、光ディスク装置１とモニタ１０１との接続の有無を検出している。具体的には、ＨＤＭＩケーブル２１はＨＰＤ（Hot  Plug  Detector）機能を有し、ＨＤＭＩポート２０は、このＨＰＤから、接続の有無の情報を受け取る。ＨＤＭＩポート２０は、ＨＰＤから受け取った接続の有無の情報を、装置本体内部の通信線を介して制御部４に送信する。
【００３１】
制御部４は、例えばマイクロコンピュータで構成されている。また、制御部４は、上記主制御プログラムで処理されるデータを展開するためのワークフィールドとしてのＲＡＭを内臓する。光ディスク装置１にユーザから入力された命令に応じて光ディスク装置１の各部を制御する。
【００３２】
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
また、この実施形態では、表示器としてモニタ１０１を説明しているが、テレビジョンでも構わない。
【００３３】
ここで、ＰＵヘッド２、再生部３、及び制御部４が、本発明の「読取手段」に相当する。HDMIポート２０及びHDMIケーブル２１が、本発明の「双方向型のインタフェース」に相当する。画像処理部１３が、本発明の「画像変換手段」に相当する。表示部７が、本発明の「表示手段」に相当する。
【００３４】
図３は、本発明の実施形態である光ディスク装置において制御部４が行う動作を示すフローチャートである。この動作は、ユーザが電源キーを押下して装置本体１の電源をオンした時の動作である。
【００３５】
電源キーが押下されると、制御部４は、機器がＨＤＭＩポート２０に接続されているか否かを判定する（Ｓ１）。機器がＨＤＭＩポート２０に接続されていない場合、制御部４は、本処理を終了する。
【００３６】
一方、光ディスク装置１とモニタ１０１との接続が有る旨の情報をＨＤＭＩポート２０から受け取ると、制御部４は、モニタ１０１からそのモニタ１０１のＥＤＩＤ(Extended Display Identification Data)を、ＨＤＭＩケーブル２１を介して取得する（Ｓ２）。ＥＤＩＤは、モニタ１０１の仕様や特性を示す情報である。ＥＤＩＤには、例えば解像度情報、アスペクト比情報が含まれる。解像度情報は、モニタ１０１が対応している複数の解像度を示す情報である。
【００３７】
次に、制御部４は、モニタ１０１が対応している複数の解像度をＥＤＩＤから調べる（Ｓ３）。
【００３８】
制御部４は、解像度キー５２〜５４の押下によって、解像度が手動設定されているかどうか判定する（Ｓ４）。
【００３９】
制御部４は、解像度自動設定キー５１の押下によって、解像度が自動設定されているかどうか判定する（Ｓ５）。
【００４０】
ここで、Ｓ４及びＳ５では、解像度を手動設定にするか自動設定にするかをユーザが選択できる状況となっている。所望の解像度を入力する場合、ユーザは、解像度キー５２〜５４のいずれかを押下する。
【００４１】
いずれかの解像度キー５２〜５４が押下されて所望の解像度が入力されると（Ｓ４）、制御部４は、入力された解像度が複数の解像度に含まれているかどうかを判定する（Ｓ６）。即ち、Ｓ６では、制御部４は、入力された解像度にモニタ１０１が対応しているかどうかを判定している。ここで、Ｓ６について具体的に説明する。例えば、モニタ１０１が対応している解像度が１０８０ｐ（progressive）と７２０ｐである場合において、解像度キー５３が押下された場合、制御部４は、含まれていると判定する。また、モニタ１０１が対応している解像度が１０８０ｐと７２０ｐである場合において、解像度キー５２が押下された場合、制御部４は、含まれていないと判定する。
【００４２】
入力された解像度が複数の解像度に含まれていると判定すると、制御部４は、入力された解像度を画像処理部１３に指定する（Ｓ７）。例えば、解像度キー５３が押下された場合、制御部４は、解像度７２０ｐを画像処理部１３に指定する。
【００４３】
即ち、モニタ１０１が解像度７２０ｐと解像度１０８０ｐの両方に対応している場合に、ユーザは、解像度７２０ｐを選択することができる。そして、光ディスク１００の再生が指示されると、画像処理部１３は、画像信号を、指定された解像度に変換してモニタ１０１に出力する。例えば、光ディスク１００に記録されている画像の解像度が１０８０ｐである場合において、解像度キー５３が押下された場合、画像処理部１３は、画像信号を、解像度７２０ｐに変換してモニタ１０１に出力する。この際、ユーザが入力した解像度をモニタ１０１が対応しているかどうかを、再生が実行される前にＳ６において判定しているので、再生画像がモニタ１０１において適正に表示される。
【００４４】
一方、Ｓ６において、入力された解像度が複数の解像度に含まれていないと判定すると、若しくは、Ｓ５において解像度が自動設定されていると判定すると、制御部４は、複数の解像度の中で最高の解像度を画像処理部１３に指定する（Ｓ８）。例えば、モニタ１０１が解像度７２０ｐと解像度１０８０ｐの両方に対応している場合、制御部４は、解像度１０８０ｐを画像処理部１３に指定する。Ｓ８を設けた理由は、モニタ１０１が対応していない解像度（例えば４８０ｐ）をユーザが入力してしまった場合、モニタ１０１において再生画像が適正に表示されないためである。
【００４５】
以上より、ユーザは解像度を手動設定でき、且つモニタ１０１において再生画像を適正に表示させることができる。
【００４６】
Ｓ７及びＳ８の後、制御部４は、指定した解像度を表示部７に表示し（Ｓ９）、本処理を終了する。例えば、Ｓ７において解像度７２０ｐを指定したのであれば、表示部７は、現在の解像度が７２０ｐである旨のメッセージを表示する。逆に、Ｓ８において解像度１０８０ｐを指定したのであれば、表示部７は、現在の解像度が１０８０ｐである旨のメッセージを表示する。この際、Ｓ６において判定否定となり、Ｓ８において解像度１０８０ｐを指定したのであれば、制御部４は、入力された解像度にモニタ１０１が対応していないことを通知するメッセージを表示部７に表示すると良い。
【００４７】
以上より、現在設定されているモニタ１０１の解像度をユーザに知らせることができる。従って、ユーザは、所望の解像度に設定できているかどうかを確認することができる。
【図面の簡単な説明】
【００４８】
【図１】本発明の実施形態である光ディスク装置の主要な構成を示すブロック図
【図２】本発明の実施形態である光ディスク装置において操作部５の外観図
【図３】本発明の実施形態である光ディスク装置において制御部４が行う動作を示すフローチャート
【符号の説明】
【００４９】
１−光ディスク装置
２−ＰＵヘッド
３−再生部
４−制御部
５−操作部
６−記憶部
７−表示部
１１−音声処理部
１３−画像処理部
２０−ＨＤＭＩポート
２１−ＨＤＭＩケーブル
５１−解像度自動設定キー
５２−解像度キー
５３−解像度キー
５４−解像度キー
１００−光ディスク
１０１−モニタ
【図１】
2008141637.tif 000003
【図２】
2008141637.tif 000004
【図３】
2008141637.tif 000005